(57)【要約】【課題】サンプル間の差異を容易に見つけられるようにする。【解決手段】本発明の一態様の質量分析用データ処理装置は、クロマトグラフによって保持時間に応じて分離された試料成分を質量分析計に導入し、所定の時間間隔で繰り返し質量分析して得られる、複数の試料についての複数の質量分析データを記憶する記憶部と、複数の質量分析データ中の同一保持時間における各質量スペクトル間のばらつきを表す変動情報を求める変動情報作成部と、変動情報を含む画像情報を作成する画像データ作成部と、画像情報を表示する表示部と、を備える。【選択図】図５
2018040655.tif 000002
【特許請求の範囲】
【請求項１】
クロマトグラフによって保持時間に応じて分離された試料成分を質量分析計に導入し、所定の時間間隔で繰り返し質量分析して得られる質量スペクトルのデータを保持時間に応じて集積した質量分析データに基づいて、前記試料成分の同定を行うための質量分析データ処理装置であって、
複数の試料について得られた複数の前記質量分析データを記憶する記憶部と、
前記複数の質量分析データ中の同一保持時間における各質量スペクトル間のばらつきを表す変動情報を求める変動情報作成部と、
前記変動情報を含む画像データを作成する画像データ作成部と、
前記画像データを表示する表示部と、を備える
質量分析用データ処理装置。
【請求項２】
前記複数の質量分析データに基づき、第１の軸が質量電荷比、第２の軸が保持時間を表すとともに、前記保持時間ごとに抽出されたスペクトルの強度が色又は階調で表されるコンターマップを作成するコンターマップ作成部、を更に備え、
前記変動情報作成部は、前記変動情報として、保持時間を示す軸を少なくとも有するグラフを作成する
請求項１に記載の質量分析用データ処理装置。
【請求項３】
前記変動情報作成部は、前記変動情報として、第１の軸が質量電荷比、第２の軸が保持時間を表すとともに、前記保持時間ごとに抽出されたスペクトルの強度から同じ質量電荷比の変動係数の値を算出し、前記変動係数に対して色又は階調を割り当てた変動係数コンターマップを作成する
請求項２に記載の質量分析用データ処理装置。
【請求項４】
前記変動情報作成部は、前記変動係数コンターマップの前記変動係数に応じて割り当てられる色の範囲を示す変動係数カラーマップを作成し、
前記変動係数カラーマップは、該変動係数カラーマップの色の範囲のうち表示される色の範囲を指定するためのカラー表示範囲指定部を有し、前記カラー表示範囲指定部により指定された色の範囲に該当する変動係数に割り当てられた色が前記変動係数コンターマップに表示される
請求項３に記載の質量分析用データ処理装置。
【請求項５】
前記複数の質量分析データから、前記保持時間の指定された時間位置の質量スペクトルをそれぞれ抽出するスペクトル抽出部と、
入力操作を受け付ける操作部と、を更に備え、
前記複数の試料ごとのコンターマップは、前記第２の軸の保持時間における時間位置を示す時間位置指定部を少なくとも有し、
前記変動係数コンターマップは、前記第２の軸の保持時間における時間位置を示す時間位置指定部を少なくとも有し、
前記操作部に対する入力操作に応じて、前記複数の試料ごとのコンターマップの前記時間位置指定部と、前記変動係数コンターマップの前記時間位置指定部とが連動して移動可能であり、前記スペクトル抽出部は、前記時間位置指定部の時間位置に応じて質量スペクトルを抽出し、前記画像データ作成部は、前記複数の試料についてのコンターマップ、前記変動係数コンターマップ、及び前記質量スペクトルを含む画像データを作成する
請求項３又は４に記載の質量分析用データ処理装置。
【請求項６】
前記スペクトル抽出部で抽出された質量スペクトルに基づいて、予め多数の物質に関する情報が登録されたライブラリを参照して前記質量スペクトルが示す成分に該当する物質を検索するライブラリサーチを行うサーチ部を更に備え、
前記画像データ作成部は、前記複数の試料についてのコンターマップ、前記変動係数コンターマップ、前記質量スペクトル、及び前記サーチ部のサーチ結果を含む画像データを作成する
請求項５に記載の質量分析用データ処理装置。
【請求項７】
前記複数の質量分析データに基づき、前記複数の試料ごとにクロマトグラムを作成するクロマトグラム作成部と、
前記画像データ作成部は、前記画像データに、指定された保持時間幅の前記クロマトグラムを更に含める
請求項５又は６に記載の質量分析用データ処理装置。
【請求項８】
前記クロマトグラム作成部は、前記時間位置指定部の時間位置を中心とする前記保持時間幅の前記クロマトグラムを作成し、
前記画像データ作成部は、前記画像データに、前記時間位置指定部の位置を中心とする前記保持時間幅の前記クロマトグラムを含める
請求項７に記載の質量分析用データ処理装置。
【請求項９】
さらに、前記複数の試料ごとのコンターマップは、前記第１の軸の質量電荷比における抽出位置を示す質量電荷比指定部を有し、
前記変動係数コンターマップは、前記第１の軸の質量電荷比における抽出位置を示す質量電荷比指定線を有し、
前記操作部に対する入力操作に応じて、前記複数の試料ごとのコンターマップの前記質量電荷比指定部と、前記変動係数コンターマップの前記質量電荷比指定部とが連動して移動可能であり、前記クロマトグラム作成部は、前記複数の試料について、前記質量電荷比指定部の抽出位置により指定された質量電荷比のクロマトグラムを抽出し、前記画像データ作成部は、前記画像データに、各試料ごとの指定された質量電荷比のクロマトグラムを含める
請求項７又は８に記載の質量分析用データ処理装置。
【請求項１０】
前記変動情報作成部は、前記変動情報として、前記保持時間ごとに、基準となる試料の質量スペクトルと他の複数の質量スペクトルとの類似度の平均値を計算する
請求項２に記載の質量分析用データ処理装置。
【発明の詳細な説明】
【技術分野】
【０００１】
本発明は、クロマトグラフで分離した試料成分を順次に質量分析して得られる質量スペクトルのデータを保持時間に応じて集積した質量分析データに基づいて、試料成分の同定を行う質量分析用データ処理装置に関する。
【背景技術】
【０００２】
クロマトグラフ質量分析は、クロマトグラフィー法を用いて時間的に分離した成分を順次にイオン化し、さらに質量分析器によってイオンを質量電荷比［ｍ／ｚ］に応じて分離して検出器で検出する分析方法であり、既知の成分の定量分析、および未知の成分の定性分析が可能である。このような分析を行う質量分析装置は、経過時間（保持時間）にともなって検出される各成分の質量スペクトルをデータ処理するためのデータ処理装置を備えている。
【０００３】
このデータ処理装置は、例えば定性分析であれば、未知の成分のイオンの総量にあたる信号強度を保持時間にともなってプロットした全イオン電流クロマトグラム（Total Ion Current Chromatogram:以下「ＴＩＣＣ」と記す）を作成し、このＴＩＣＣ上のサーチによって得たピーク位置の保持時間における質量スペクトルを抽出し、これをライブラリと比較することによってこのクロマトグラムのピーク位置の試料成分を同定する。
【０００４】
一方、定量分析であれば、既知の成分のイオンの信号強度を保持時間にともなってプロットしたマスクロマトグラムを作成し、このマスクロマトグラムから求めたピーク面積を検量線と比較することによって既知の成分を定量する。
【０００５】
ところで、複数の試料（以下「サンプル」と表記する）の分析結果を比較する際、コンターマップ（縦軸：質量電荷比［ｍ／ｚ］、横軸：保持時間［ＲＴ］、強度：色又は階調）を作成して比較する手法が、従来から用いられている。
【０００６】
図１に、一般的なコンターマップの例を示す。図１には、サンプルＡとサンプルＢの２つのコンターマップ２０１とコンターマップ２０２が示されている。コンターマップ２０１，２０２におけるスペクトルの複数のピーク２０１Ｐ，２０２Ｐには、ピーク値（強度）に応じた色がそれぞれ割り当てられている。図１では、ピーク２０１Ｐ，２０２Ｐに相当する部分の色が薄く（濃度が低く）表示されている。一般に、２つのサンプル間の差異を調べる場合には、オペレータが画面に並べて表示された２つのコンターマップを見比べる必要がある。
【０００７】
図２は、サンプル間の差異を調べる方法の一例として、比較する２つのサンプルのコンターマップ２０１，２０２を重ね合わせて差異を見る方法を示す。また、図３は、他の例として、比較対象のコンターマップ２０１，２０２の解像度が低い場合に、コンターマップ２０１，２０２の一部領域２０１ａ，２０２ａを拡大した拡大コンターマップ２０３，２０４を見比べて差異を検出する方法を示す。
【０００８】
多数の分析結果を解析し、スペクトルを効率良く確認するための手法が、特許文献１に開示されている。この特許文献１には、複数のスペクトルを、化学物質の定性情報を第一の軸、化学物質の定量情報を第二の軸、化学物質を含む試料を識別するための情報又は分析条件を第三の軸として、第三の軸上に順番に並べて、２次元又は３次元表示することが記載されている。これにより、分析結果を利用したロット管理においてロット間の成分（複数の測定データ）の違いを人目で確認することができ、容易にロット間の差異を確認することができると記載されている。
【先行技術文献】
【特許文献】
【０００９】
【特許文献１】特開２００９−１５０８７６号公報
【発明の概要】
【発明が解決しようとする課題】
【００１０】
コンターマップの分解能が低い場合は、コンピュータ上の１ピクセルに対し、ある保持時間のスペクトルのある質量電荷比［ｍ／ｚ］における強度を１対１の関係で割り当てることができない。そのような制約のため、ある時間範囲又は質量範囲の中で代表する強度を１つしか抽出することができない。例えば、図４に示すような２つのマスクロマトグラムＡ，Ｂがある場合に、両者の波形に違いはあったとしても、各保持時間範囲又は質量電荷比範囲で強度の最大値をコンターマップへマッピングした場合、両者は全く同じものになってしまう。両者の違いを見つけるためには、部分的に拡大して分解能を上げる手法が考えられるが、手間がかかるという問題がある。
【００１１】
特許文献１に記載された技術では、化学物質を含む試料を識別するための情報又は分析条件を第三の軸上に順番に並べることで、ロット間の成分の違いを一目で確認でき、容易にロット間の差異を確認することができるとされている。しかし、特許文献１に記載の方法では、オペレータが順番に並べられた複数のロットの測定データを見比べて測定データの違いを見つける必要がある。
【００１２】
上記の状況から、サンプル間の差異を容易に見つけられる手法が要望されていた。
【課題を解決するための手段】
【００１３】
本発明の一態様の質量分析用データ処理装置は、クロマトグラフによって保持時間に応じて分離された試料成分を質量分析計に導入し、所定の時間間隔で繰り返し質量分析して得られる質量スペクトルのデータを保持時間に応じて集積した質量分析データに基づいて、試料成分の同定を行うための質量分析データ処理装置である。
この質量分析データ処理装置は、複数の試料について得られた複数の質量分析データを記憶する記憶部と、複数の質量分析データ中の同一保持時間における各質量スペクトル間のばらつきを表す変動情報を求める変動情報作成部と、変動情報を含む画像情報を作成する画像データ作成部と、画像情報を表示する表示部と、を備える。
【発明の効果】
【００１４】
本発明の少なくとも一態様によれば、複数の試料のばらつきを表す変動情報が表示されるため、試料間の差異を容易に見つけることができる。
上記した以外の課題、構成及び効果は、以下の実施形態の説明により明らかにされる。
【図面の簡単な説明】
【００１５】
【図１】一般的なコンターマップの例を示す図である。
【図２】２つのコンターマップを比較する一般的な方法を説明するための図である。
【図３】２つのコンターマップを比較する他の方法を説明するための図である。
【図４】コンターマップの分解能が低い場合の問題点を説明するための図である。
【図５】本発明の第１の実施形態に係る質量分析装置の概略を示す構成図である。
【図６】質量分析用データ処理装置において処理するデータの構成を説明するための図である。
【図７】質量スペクトルの一例を示す図である。
【図８】全スペクトル抽出部で作成されたＴＩＣＣと質量スペクトルの表示画面を示す図である。
【図９】サンプルコンターマップ（ＥＩＣの場合）の例を示す図である。
【図１０】サンプルコンターマップ（ＴＩＣＣ、ＢＰＣの場合）の例を示す図である。
【図１１】変動係数コンターマップ（ＥＩＣの場合）の例を示す図である。
【図１２】変動係数カラーマップの例を示す図である。
【図１３】本発明の第１の実施形態に係る質量分析用データ処理装置により実行される処理の流れを示すフローチャートである。
【図１４】本発明の第２の実施形態に係る変動情報グラフの例を示す図である。
【図１５】本発明の第３の実施形態に係る変動情報グラフの例を示す図である。
【発明を実施するための形態】
【００１６】
以下、本発明を実施するための形態の例について、添付図面を参照しながら説明する。なお、各図において実質的に同一の機能又は構成を有する構成要素については、同一の符号を付して重複する説明を省略する。
【００１７】
＜第１の実施形態＞
［質量分析装置の構成］
図５は、第１の実施形態に係る質量分析装置の概略を示す構成図である。図５に示す第１の実施形態の質量分析装置１は、クロマトグラフによって保持時間に応じて分離された試料成分を所定の時間間隔で繰り返し質量分析して得られる質量スペクトルのデータを保持時間に応じて集積した質量分析データに基づいて、試料成分の同定を行うものである。質量分析装置１は、クロマト分離部１０１および質量分析部１０２と共に、質量分析用データ処理装置１ａを備えている。以下、これらの構成要素の詳細を説明する。
【００１８】
（クロマト分離部１０１）
クロマト分離部１０１は、分析対象となる混合物試料（サンプル）を成分毎に分離する部分である。このクロマト分離部１０１は、分析対象となるサンプルを導入するためのサンプル導入部１０１ａと、導入されたサンプルを成分毎に分離するためのカラム１０１ｂとを備えている。カラム１０１ｂは、導入されたサンプルを通過させる固定相が充填されたものであり、固定相を通過する速度に応じて時間的に分離された成分は、各成分に固有の保持時間（ＲＴ：Retention Time）で質量分析部１０２に供給される。
【００１９】
このようなクロマト分離部１０１は、例えばガスクロマトグラフが用いられるが、これに限定されることはなく液体クロマトグラフや他のクロマトグラフであってもよい。
【００２０】
（質量分析部１０２）
質量分析部１０２は、クロマト分離部１０１で分離され時間差を持って供給される各成分を順次にイオン化し、イオン化した各成分のイオンをさらに質量電荷比［ｍ／ｚ］毎に分離して検出する部分である。このような質量分析部１０２は、イオン化部１０２ａと質量分離部１０２ｂと検出器１０２ｃとを備えている。
【００２１】
イオン化部１０２ａは、クロマト分離部１０１から供給された成分を、保持時間［ＲＴ］毎に順次にイオン化する。このイオン化部１０２ａでは、それぞれの成分の分子イオンと、分子イオンが開裂した複数のフラグメントイオンとが生成される。
【００２２】
質量分離部１０２ｂは、イオン化部１０２ａから供給された各イオンを質量電荷比［ｍ／ｚ］毎に分離し、特定の質量電荷比［ｍ／ｚ］のイオンのみを通過させ検出器１０２ｃに到達させる。この質量分離部１０２ｂにおいては、検出器１０２ｃに到達させるイオンの質量電荷比［ｍ／ｚ］をスキャンさせることにより、各イオンを質量電荷比［ｍ／ｚ］毎に順次に検出器１０２ｃに到達させ、これが一定時間毎に繰り返し行われる。このような質量分離部１０２ｂは、イオン化部１０２ａとの組み合わせによって適宜の方式のものが用いられる。
【００２３】
検出器１０２ｃは、質量分離部１０２ｂにおいて質量電荷比［ｍ／ｚ］に応じて分離されたイオンの信号強度［Ｉ］を検出し、得られた信号強度（Ｉ）を上記スキャンに対応させて取り出すことにより、質量スペクトル信号が各スキャン毎に得られる。
【００２４】
（質量分析用データ処理装置１ａ）
質量分析用データ処理装置１ａは、検出器１０２ｃで検出された質量スペクトル信号を保持時間［ＲＴ］と関連づけて質量分析データとして記憶し、この質量分析データに基づいて、分析対象となるサンプルの定性分析を実施する。
【００２５】
このような質量分析用データ処理装置１ａは、入出力制御部１０、記憶部１１、ＴＩＣＣ作成部１３、クロマトグラム作成部１５、スペクトル抽出部１７、コンターマップ作成部１８、変動情報作成部２０、サーチ部２１、画像データ作成部２３、操作部２５、および表示部２７を備えている。各部分の構成は、次のようである。
【００２６】
入出力制御部１０は、予め設定されたプログラムおよび、オペレータによる操作部２５からの操作にしたがって、他の各部における動作のタイミングを制御し、これによって質量分析用データ処理を実行する部分である。
【００２７】
このような入出力制御部１０は、質量分析用データ処理装置１ａを構成する他の各部と、質量分析部１０２の検出器１０２ｃとに接続されている。
【００２８】
記憶部１１には、検出器１０２ｃで検出された質量スペクトル信号が、保持時間［ＲＴ］に関連づけて記憶される。
【００２９】
図６は、質量分析用データ処理装置１ａにおいて記憶されるデータの構成を説明するための図である。図６に示すように、入出力制御部１０には、検出器１０２ｃで検出された質量スペクトル信号が、保持時間［ＲＴ］にしたがって順に入力され、保持時間［ＲＴ］に関連づけて記憶される。
【００３０】
また記憶部１１には、以降に説明するクロマトグラム作成部１５で作成されたマスクロマトグラム（Extracted Ion Chromatogram：以下「ＥＩＣ」とも記す）が記憶される。マスクロマトグラムとは、図６に破線で示すように、保持時間［ＲＴ］に対するイオンの信号強度［Ｉ］のグラフである。
【００３１】
さらに記憶部１１には、既知の物質の質量スペクトルを化合物名および構造式と紐づけしたデータが、ライブラリとして格納されている。図７は、質量スペクトルの一例を示す図である。
【００３２】
ＴＩＣＣ作成部１３は、記憶部１１に記憶されているデータに基づいて、検出器１０２ｃで検出された信号強度［Ｉ］を保持時間［ＲＴ］毎に積算した全イオン電流クロマトグラム（ＴＩＣＣ）を作成する（図６参照）。
【００３３】
クロマトグラム作成部１５は、例えば操作部２５からの入力によって指定された質量電荷比［ｍ／ｚ］に関し、記憶部１１に記憶されたデータに基づいて、保持時間［ＲＴ］に対する信号強度［Ｉ］の変化を表すマスクロマトグラム（ＥＩＣ）を作成する（図６参照）。なお、図６においては、説明のために４箇所の質量電荷比［ｍ／ｚ］に対応する４つのマスクロマトグラムを破線で示した。また、クロマトグラム作成部１５は、設定された所定の保持時間範囲に関し、基準ピーク（マススペクトル中で最大の強度を持つピーク）を抽出した基準ピーククロマトグラム（Base Peak Chromatogram：以下「ＢＰＣと」記す）を作成する。
【００３４】
スペクトル抽出部１７は、操作部２５からの入力によって指定された抽出時間位置［ｔｐ］の質量スペクトルを抽出する。
【００３５】
コンターマップ作成部１８は、記憶部１１に記憶された複数のサンプルの質量分析データに基づいて、各サンプルについて、サンプルに対応するサンプルコンターマップ（後述する図８参照）を作成する。サンプルコンターマップは、縦軸（第１の軸）を質量電荷比［ｍ/ｚ］、横軸（第２の軸）を保持時間［ＲＴ］としたマップ領域に、質量スペクトルを表す縦線を保持時間の順に並べて描画したマップであり、各スペクトルにおける信号強度が色で表される。
【００３６】
変動情報作成部２０は、複数のサンプルのサンプルコンターマップ間のばらつきを表す変動情報を作成する。変動情報作成部２０は、変動情報として、質量電荷比を示す軸を少なくとも有するグラフ（図８の変動係数コンターマップ３７等）を作成する。例えば、図８に示す変動係数コンターマップ３７は、縦軸が質量電荷比、横軸が保持時間を表すとともに、同一保持時間の各サンプルのマススペクトルについて、同じ質量電荷比における各マススペクトルの信号強度のばらつきを表す変動係数の値を算出し、その変動係数に対して色を割り当てられたものである。なお、以下の説明において、サンプルコンターマップと変動係数コンターマップを総称する場合には、「コンターマップ」と記す。
【００３７】
サーチ部２１は、スペクトル抽出部１７で抽出された質量スペクトルのライブラリサーチを実施し、質量スペクトルが示す成分とライブラリに記憶された物質との同定を行う。即ちサーチ部２１は、予め多数の概知物質に関する質量スペクトルが登録されたライブラリを参照し、上記抽出された質量スペクトルが示す成分に該当する物質を検索し、サーチ結果として該当物質の候補を類似度と共に出力する。
【００３８】
画像データ作成部２３は、ＴＩＣＣ作成部１３、クロマトグラム作成部１５、スペクトル抽出部１７、コンターマップ作成部１８、変動情報作成部２０およびサーチ部２１で作成された各データを表示部２７に表示するための画像データ（図８の分析結果表示画面３０）を作成する。また画像データ作成部２３は、質量分析用データ処理装置１ａで実施する処理内容を、オペレータが選択し、又は設定するための画像を表示部２７に表示するための画像データを作成する。画像データの詳細は、以降の複数サンプル間の差異検出方法において説明する。
【００３９】
操作部２５は、質量分析用データ処理装置１ａにおいて実行するデータ処理に関する各種設定を入力する部分である。データ処理に関する各種設定とは、クロマトグラム作成部１５においてマスクロマトグラムを作成する保持時間範囲［Ｔｗ］の設定などである。この操作部２５は、例えばキーボード、マウス、あるいは表示部２７と一体形成されたタッチパネル式の操作部であってもよい。
【００４０】
表示部２７は、画像データ作成部２３で作成された画像を表示する部分であり、タッチパネル式の操作部を備えたものであってもよい。
【００４１】
［分析結果表示画面］
図８に、表示部２７に画像データ作成部２３により作成された分析結果表示画面３０の例を示す。分析結果表示画面３０は、抽出クロマトグラム表示領域３０Ａ、コンターマップ表示領域３０Ｂ、および変動情報表示領域３０Ｃから構成される。
【００４２】
（抽出クロマトグラム表示領域３０Ａ）
抽出クロマトグラム表示領域３０Ａには、記憶部１１に記憶されたデータに基づいて、設定ウィンドウ３１、及び抽出クロマトグラム表示３２が表示される。
【００４３】
−設定ウィンドウ３１−
設定ウィンドウ３１は、ウィンドウ幅（保持時間範囲）の入力欄、抽出クロマトグラムの選択欄、及び抽出クロマトグラム（ＥＩＣの場合）の質量幅の入力欄を有する。
【００４４】
ウィンドウ幅（保持時間範囲）の入力欄は、抽出クロマトグラム表示３２の横軸（保持時間［ＲＴ］）の範囲を設定するためのものである。抽出クロマトグラムの選択欄は、抽出クロマトグラム表示３２に表示されるクロマトグラム（抽出クロマトグラム）の指定を行うためのものである。質量幅（統一原子質量単位：ｕ）の入力欄は、ＥＩＣの場合に抽出するクロマトグラムの質量幅を指定するためのものである。オペレータは、操作部２５を操作して、各入力欄又は設定欄への入力を行う。
【００４５】
図８の例では、抽出クロマトグラムにＥＩＣ（マスクロマトグラム）が選択されており、質量幅＋０．１ｕ〜−０．１ｕ、およびウィンドウ幅０．１５分の条件で抽出されたサンプルＡ〜Ｃのマスクロマトグラム３２ａ〜３２ｃが表示されている。なお、設定ウィンドウ３１における各設定項目に対し、始めに所定の初期設定値が設定されていてもよい。
【００４６】
−抽出クロマトグラム表示３２−
指定されたウィンドウ幅に基づき、コンターマップ上で指定されている区間（保持時間幅）のＴＩＣＣ、ＢＰＣ又はＥＩＣを表示する。ＥＩＣの場合には、コンターマップ上で指定された位置（質量電荷比指定部３３２，３７２）のＥＩＣを抽出して表示する。抽出クロマトグラム表示３２では、測定したすべてのサンプルのクロマトグラムを重ねて表示する。
【００４７】
（コンターマップ表示領域３０Ｂ）
コンターマップ表示領域３０Ｂには、コンターマップ作成部１８により作成されたコンターマップ、スペクトル抽出部１７で抽出された質量スペクトル、およびサーチ部のライブラリサーチ結果が、サンプルごとに表示される。図８には、３つのサンプルＡ〜Ｃについての各分析結果が表示されている。サンプルＡについて、サンプルコンターマップ３３ａ、質量スペクトル３４ａ、ライブラリサーチ結果３５ａが表示されている。同様に、サンプルＢについて、サンプルコンターマップ３３ｂ、質量スペクトル３４ｂ、ライブラリサーチ結果３５ｂが表示されており、サンプルＣについて、サンプルコンターマップ３３ｃ、質量スペクトル３４ｃ、ライブラリサーチ結果３５ｃが表示されている。以下、サンプルＡ〜Ｃを代表してサンプルＡに関して各分析結果を図９〜図１１を参照して説明する。
【００４８】
−サンプルコンターマップ（ＥＩＣ）−
図９は、サンプルコンターマップ３３ａ（ＥＩＣの場合）の例を示す図である。サンプルコンターマップ３３ａは、既述したように縦軸（第１の軸）が質量電荷比［ｍ/ｚ］、横軸（第２の軸）が保持時間［ＲＴ］を表すとともに、保持時間［ＲＴ］ごとのスペクトルの強度を色で表した３次元情報を持つマップである。サンプルコンターマップ３３ａは、抽出時間位置指定部３３１と、質量電荷比指定部３３２とを有する。図９のサンプルコンターマップ３３ａには、ピーク値（強度）に応じた色がそれぞれ割り当てられた複数のピーク３３Ｐが表示される。
【００４９】
抽出時間位置指定部３３１は、保持時間［ＲＴ］における時間位置を示すものであり、保持時間［ＲＴ］を示す横軸に直交する線状のＧＵＩである。質量電荷比指定部３３２上の両矢印はウィンドウ幅３３１ａである。ウィンドウ幅３３１ａは、設定ウィンドウ３１のウィンドウ幅と連動しており、設定されたウィンドウ幅の値に応じてウィンドウ幅３３１ａの両矢印の長さが可変する。抽出時間位置指定部３３１は、重ね合わされたカーソル３３３と連動して動く。抽出時間位置指定部３３１の位置が移動することで、抽出クロマトグラム表示が変わる。
【００５０】
なお、設定ウィンドウ３１を利用してウィンドウ幅を指定する構成を説明したが、ウィンドウ幅３３１ａを操作してウィンドウ幅を調節してもよい。例えば、カーソル３３３をウィンドウ幅３３１ａの両矢印の先端に重ねてドラッグしながら両矢印の長さを調整し、両矢印が所望の長さに達したらドラッグを解除することにより、ウィンドウ幅３３１ａの長さを変更できる構成としてもよい。
【００５１】
質量電荷比指定部３３２は、質量電荷比［ｍ／ｚ］における抽出位置を示すものであり、質量電荷比［ｍ／ｚ］を示す縦軸に直交する線状のＧＵＩである。質量電荷比指定部３３２は、重ね合わされたカーソル３３３と連動して動く。質量電荷比指定部３３２の位置が移動することで、抽出クロマトグラム表示と質量スペクトル表示が変わる。
【００５２】
すなわち、抽出時間位置指定部３３１と質量電荷比指定部３３２の交点の位置が、カーソル３３３と連動して動き、カーソル３３３の移動に伴って該交点の座標が変わることで、抽出クロマトグラム表示と質量スペクトル表示が変わる。カーソル３３３は、操作部２５を操作して移動させることができる。
【００５３】
−サンプルコンターマップ（ＴＩＣＣ、ＢＰＣ）−
図１０は、サンプルコンターマップ３３ａ´（ＴＩＣＣ、ＢＰＣの場合）の例を示す図である。ＴＩＣＣ、ＢＰＣが選択された場合には、質量電荷比指定部３３２およびウィンドウ幅３３１ａは表示されない。ただし、抽出クロマトグラムのウィンドウ幅を表す何らかの表示が必要であるため、図１０の例のように、ウィンドウ幅を指定するＧＵＩとして例えば矩形のウィンドウ幅枠３３１ｂが表示される。ウィンドウ幅枠３３１ｂの横軸方向（保持時間方向）の長さが、ウィンドウ幅を表す。図１０には、予め設定した閾値を超えるピーク値（強度）が現れる複数の帯状の保持時間帯３３Ｔが示されている。各保持時間帯３３Ｔに対しピーク値に応じた色又は階調を割り当てて、各保持時間帯３３Ｔを表示してもよい。
【００５４】
サンプルコンターマップ３３ａ，３３ａ´の主な機能は以下のとおりである。
・サンプルコンターマップを、抽出時間位置指定部３３１と質量電荷比指定部３３２の交点を中心に拡大および縮小することができる。サンプルコンターマップ３３ａの上方に複数のコンターマップ（変動係数コンターマップ３７を含む）の表示倍率（％）を指定する入力欄（図８参照）が用意されている。この入力欄に所望の表示倍率を入力することで、複数のコンターマップの表示倍率が変わる。
・サンプルコンターマップ３３ａ，３３ａ´の拡大率及び縮小率を等倍にリセットすることができる。表示倍率を指定する入力欄に１００（％）と入力してもよいし、不図示のリセットボタンを表示しておいてもよい。
【００５５】
さらに、サンプルコンターマップ３３ａ，３３ａ´は次のような機能も有する。
・サンプルコンターマップ３３ａ，３３ａ´をスクロールすることができる。例えば抽出時間位置指定部３３１，３７１又は質量電荷比指定部３３２，３７２が操作されることにより、スクロールする。図１１の抽出時間位置指定部３７１及び質量電荷比指定部３７２も同様である。
・カーソル位置に基づき指定される任意のスペクトルによってライブラリサーチを実行することができる。ライブラリサーチを実行した場合は、実行した箇所（時間位置）にマーカＭ（例えば三角形）が表示される。また、操作部２５の操作によりマーカＭを削除することができる（ライブラリサーチ結果の消去）。図９，図１０に示すように、分かりやすいようにサンプルコンターマップの上下にマーカＭを配置してもよいし、さらに上下のマーカＭを結ぶ線（例えば薄い色の線）を表示してもよい。後述する図１１の変動係数コンターマップにも同様にマーカＭ及び線分を表示している。
・カーソル位置をロックしたり、ロックを解除したりすることができる。
・どのサンプルコンターマップ上でカーソル３３３が移動しても、抽出時間位置指定部３３１と質量電荷比指定部３３２は連動して動く。変動係数コンターマップ３７上でも同じである。
これらの各機能は、操作部２５、画像データ作成部２３及び入出力制御部１０の協働により実現される。
【００５６】
コンターマップ表示領域３０Ｂには、複数のサンプルコンターマップが表示されるが、サンプル数が多い場合には、一画面内に収まりきらない。スクロールバー３６にカーソル３３３（図９参照）を合わせて上下にスライドさせることにより、２ページ目以降に配置されたサンプルコンターマップが順次表示される。
【００５７】
−質量スペクトル表示−
サンプルコンターマップ又は変動係数コンターマップ上で指定されている保持時間［ＲＴ］の抽出時間位置の質量スペクトル（図８では質量スペクトル３４ａ〜３４ｃ）を表示する。また、先頭のサンプル（サンプルＡ）の質量スペクトルとの類似度を計算して表示する。この類似度の計算は、スペクトル抽出部１７又は入出力制御部１０により行われる。
【００５８】
また質量スペクトル表示は、質量スペクトル表示上でカーソルを操作することで、コンターマップと同様に拡大、縮小、スクロールする。質量スペクトル表示に対して操作を行う場合は、コンターマップのカーソルをロックする。
【００５９】
−ライブラリサーチ結果−
サンプルコンターマップ又は変動係数コンターマップ上の位置を指定してライブラリサーチを行った場合、ヒットした化合物情報を表示する。オペレータは、例えばコンターマップ上の任意の位置にカーソル３３３を合わせてクリック操作することにより、ライブラリサーチを指示する。コンターマップのマーカＭにカーソル３３３を合わせると、再びサーチ結果が表示される。化合物情報の内容としては、例えば参照スペクトル、構造式、保持時間［ＲＴ］、化合物名、化学式、類似度などが挙げられる。
【００６０】
（変動情報表示領域３０Ｃ）
変動情報表示領域３０Ｃには、変動係数コンターマップ３７と変動係数カラーマップ３８が表示される。
【００６１】
−変動係数コンターマップ３７−
図１１は、変動係数コンターマップ（ＥＩＣの場合）の例を示す図である。
変動係数コンターマップ３７は、縦軸が質量電荷比［ｍ／ｚ］、横軸が保持時間［ＲＴ］のマップ領域を持つとともに、保持時間ごとの信号強度から同じ質量電荷比の変動係数の値を算出し、その変動係数に対して色を割り当てその色でドット（ピクセル）をマップ領域に描くことにより描画されている。
【００６２】
ここで、変動情報作成部２０による変動係数コンターマップの作成方法を説明する。
（１）比較対象の各サンプルについて単位保持時間毎に順次繰り返し質量分析して得られたデータから、各サンプルの保持時間データを重複なく抽出する。
（２）各サンプルの保持時間データから単位保持時間ごとにスペクトルを抽出する。このとき、サンプル間において他のサンプルのスペクトルの保持時間と完全に一致する保持時間が存在しない場合には、その保持時間に最も近いスペクトルを抽出する。なお、保持時間幅に閾値を設け、保持時間の差が閾値を超えている場合には、その保持時間でのスペクトルの抽出を行わないものとする。
（３）保持時間ごとに抽出された各サンプルのスペクトルの強度を共通の値（例えば最大強度）で正規化する。そして、スペクトル間で同じ質量電荷比［ｍ／ｚ］を持つ点について強度の変動係数を求め、求めた値に対応した色を割り当てて、マップ領域の該当位置にその色でドット（ピクセル）を描くことにより描画される（マッピング）。変動係数は、標準偏差／平均値で求められる。
【００６３】
このように作成された変動係数コンターマップ３７は、複数のサンプルの各サンプルコンターマップ上の同一位置の点毎の強度のばらつきを表す。図１１の例には、後述する図１２のカラー表示範囲指定部３８４で指定された色の範囲に該当するピーク３７Ｐが表示されている。なお、変動係数コンターマップ３７において、抽出時間位置指定部３７１及び質量電荷比指定部３７２は、サンプルコンターマップ３３ａ〜３３ｃの場合と同様の機能（操作性）を有しており、説明を割愛する。
【００６４】
−最小値設定欄３８２、最大値設定欄３８３−
図１２は、変動係数カラーマップの例を示す図である。
変動係数カラーマップ３８（変動情報カラーマップの一例）は、変動係数コンターマップ３７の変動係数に応じて割り当てられる色の範囲を示す変動係数カラーバー３８１を備える。変動係数カラーバー３８１の左端と右端には、変動係数カラーマップ３８でマッピングするための変動係数の最小値設定欄３８２と最大値設定欄３８３が配置される。この変動係数の最小値設定欄３８２および最大値設定欄３８３に設定値を入力することで、最大値と最小値が設定される。最小値以下の変動係数はカラーマップの左端の色にマッピングされ、最大値以上の変動係数は右端の色でマッピングされ、その間は線形補間されてマッピングされる。
【００６５】
なお、この最小値設定欄３８２と最大値設定欄３８３の設定値は、予め設定されていてもよいし、変動係数コンターマップ３７を作成する都度、設定してもよい。また、操作部２５を用いて、オペレータが任意に設定できるようにしてもよい。なお、図１２の例では、最小値設定欄３８２に０（％）が設定され、最大値設定欄３８３には得られた最大変動係数に対応する１００（％）が表示されているがこの限りではない。例えば、最小値を０（％）、最大値を１０（％）のようにしてもよい。着目する変動係数の範囲を狭めるほど、色の分解能が上がる。
【００６６】
−変動係数カラーマップ−
変動係数カラーバー３８１上には、軸方向にスライド操作可能な枠状のカラー表示範囲指定部３８４が表示される。カラー表示範囲指定部３８４は、変動係数カラーバー３８１の色の範囲のうち変動係数コンターマップ３７上に表示される色の範囲を指定するものである。変動係数コンターマップ３７には、カラー表示範囲指定部３８４によって指定された範囲の色がマッピングされる。これにより、変動係数コンターマップ３７の分解能が低く、色が重なってしまう場合であっても、カラー表示範囲指定部３８４の枠の幅を変更したり、スライドさせたりして、変動係数コンターマップ３７にマッピングさせる色の範囲を変更することができる。図１２には、一例としてカラー表示範囲指定部３８４の枠の左端の変動計数値として６７、及び左端の変動計数値として８８が表示されている。
【００６７】
拡大表示領域指定枠３７３は、変動係数コンターマップ３７の拡大表示する領域を指定するためのものである。拡大表示領域指定枠３７３により指定された拡大表示領域が、変動係数コンターマップ３７の全体に表示される。この変動係数コンターマップ３７の拡大表示に連動して、サンプルコンターマップ３３ａ〜３３ｃの対応する領域が拡大表示される。変動係数コンターマップ３７及びサンプルコンターマップ３３ａ〜３３ｃは、表示倍率がされると、変更後の倍率が表示される。拡大表示領域指定枠３７３の位置および大きさは、カーソル３３３を用いてドラッグ操作等を行うことにより調節できる。なお、拡大表示領域を指定する拡大表示領域指定枠３７３の形状は、円形でもよい。
【００６８】
図１３は、上述した構成を有する第１の実施形態に係る質量分析用データ処理装置１ａにより実行される処理の流れを示すフローチャートである。この図１３に示す処理は、質量分析用データ処理装置１ａの入出力制御部１０を含む各部に予め設定されたプログラムに従って、定性分析を実施する手順を示している。なお、質量分析用データ処理装置１ａの各部が、記憶部１１に記憶されたプログラムを実行することで本処理を実現するようにしてもよい。以下に、図１３のフローチャートに沿って、図５、図８および必要図を参照しつつ、第１の実施形態動作の流れを説明する。
【００６９】
まず、記憶部１１には、定性分析の対象となるサンプルを質量分析することによって得られた各質量電荷比［ｍ／ｚ］のイオンの信号強度［Ｉ］を表す質量スペクトルが、保持時間［ＲＴ］と関連づけて取り出された質量分析データが複数のサンプルＡ，Ｂ，Ｃについて記憶されていることとする。そして、入出力制御部１０は、例えば操作部２５から入力されたデータ処理開始の指示をトリガーとして、以下に説明する一連の処理を開始する。
【００７０】
先ず、スペクトル抽出部１７は、記憶部１１に記憶された各サンプルの質量分析データに基づいて、保持時間［ＲＴ］毎にスペクトル抽出を実施し、各サンプルそれぞれに全スペクトルを抽出する（Ｓ１）。
【００７１】
次に、サンプルコンターマップおよび抽出クロマトグラムに関する設定を行う（Ｓ２）。入出力制御部１０は、オペレータによる操作部２５の入力操作に従い、設定ウィンドウ３１においてウィンドウ幅、抽出するクロマトグラムの種類、質量幅（ＥＩＣのみ）を設定する。設定内容は、記憶部１１に保持される。
【００７２】
次に、入出力制御部１０は、オペレータによる操作部２５の入力操作に従い、変動係数の最小値及び最大値、変動係数カラーマップ上で変動係数コンターマップにマッピングされるカラー範囲を設定する。設定内容は、記憶部１１に保持される。
【００７３】
次に、画像データ作成部２３は、上記設定内容に基づいて、分析結果表示画面３０（図８）を作成して表示部２７に表示する（Ｓ４）。このとき、クロマトグラム作成部１５は、設定されたウィンドウ幅に基づいて、選択された抽出クロマトグラムを作成する。また、コンターマップ作成部１８は、比較対象の複数のサンプルについてそれぞれ抽出された全スペクトルと、上記設定内容に基づいてサンプルコンターマップ３３ａ〜３３ｃを作成する。また、スペクトル抽出部１７は、抽出時間位置指定部３３１，３７１の位置に基づき、各サンプルの質量スペクトル３４ａ〜３４ｃを抽出する。さらに、変動情報作成部２０は、変動係数コンターマップ３７を作成する。画像データ作成部２３は、これらのクロマトグラム、コンターマップ、および質量スペクトルを含む画像データを作成する。
【００７４】
次に、入出力制御部１０は、サンプルコンターマップ３３ａ〜３３ｃ又は変動係数コンターマップ３７上で、操作部２５を用いてカーソルの移動操作が行われたかどうかを判定する（Ｓ５）。カーソルの移動操作がなかった場合には（Ｓ５のＮＯ）、入出力制御部１０は処理を終了する。
【００７５】
そして、カーソルの移動操作があった場合には（Ｓ５のＹＥＳ）、クロマトグラム作成部１５およびスペクトル抽出部１７は、カーソルで指示された位置に基づき、抽出クロマトグラムおよび質量スペクトルを更新する（Ｓ６）。そして、更新後の抽出クロマトグラムおよび質量スペクトルが、分析結果表示画面３０に表示される。
【００７６】
次に、入出力制御部１０は、サンプルコンターマップ３３ａ〜３３ｃ又は変動係数コンターマップ３７上で、操作部２５を用いてコンターマップの拡大操作が行われたかどうかを判定する（Ｓ７）。拡大操作は、例えば分析結果表示画面３０（図８）のコンターマップの表示倍率の値を大きくする、コンターマップ上で拡大表示領域指定枠３７３を操作するなどである。拡大操作が行われなかった場合には（Ｓ７のＮＯ）、入出力制御部１０は処理を終了する。
【００７７】
コンターマップの拡大操作が行われた場合には（Ｓ７のＹＥＳ）、コンターマップ作成部１８は、指定された位置（抽出時間位置指定部３３１と質量電荷比指定部３３２の交点）を基点に、サンプルコンターマップ３３ａ〜３３ｃ又は変動係数コンターマップ３７を拡大表示する（Ｓ８）。また拡大操作に伴い、抽出クロマトグラムおよび質量スペクトルも更新される。
【００７８】
次に、入出力制御部１０は、操作部２５を用いてライブラリサーチの実行指示が行われたかどうかを判定する（Ｓ９）。ライブラリサーチの実行指示が行われなかった場合には（Ｓ９のＮＯ）、入出力制御部１０は処理を終了する。
【００７９】
ライブラリサーチの実行指示が行われた場合には（Ｓ９のＹＥＳ）、サーチ部２１は、複数のサンプルの質量スペクトルに対してライブラリサーチを実行し、ライブラリサーチが実行されたスペクトルの抽出位置にマーカＭを表示する（マーキングする）（Ｓ１０）。そして、ライブラリサーチ結果は、サンプルごとに分析結果表示画面３０に表示される。ステップＳ１０の処理が終了後、本フローチャートの処理を終了する。
【００８０】
上述した第１の実施形態によれば、変動情報としてスペクトルの強度のばらつきを示す変動係数コンターマップを表示することにより、複数のサンプルコンターマップの全体を肉眼で詳細に見較べることなく、また、比較対象のサンプルコンターマップの分解能が十分でなくても、サンプル間の差異のある位置（保持時間、質量電荷比）を予測（抽出）することができる。
【００８１】
また、第１の実施形態によれば、変動係数コンターマップの変動係数カラーマップのマッピング範囲（カラー表示範囲指定部３８４）をオペレータが任意に指定できる構成であるため、変動係数コンターマップに表示される変動係数の範囲を適宜調節することが可能である。それゆえ、比較対象のサンプルコンターマップの分解能の不足を補うことができる。
【００８２】
また、第１の実施形態によれば、変動係数コンターマップの変動係数の閾値（最小値、最大値）をオペレータが任意に指定できる構成であるため、変動係数コンターマップにおいてカラーマップのマッピング範囲（表示可能な変動係数）を適宜調節することが可能である。それにより、例えばサンプル間のスペクトルの強度の変動の大きい箇所あるいは変動の小さい箇所に絞って重点的に調べることが可能であるため、サンプルコンターマップ３３ａ〜３３ｃの分解能の不足を補うことができる。
【００８３】
また、第１の実施形態によれば、サンプルコンターマップの分解能の不足を、上記の変動係数コンターマップのマッピング範囲及び／又は変動係数の閾値を指定することにより補うことができるため、サンプルコンターマップのサイズを小さくすることが可能である。それゆえ、一つの画面に、より多くのサンプルのコンターマップを表示することができる。
【００８４】
また、第１の実施形態によれば、複数のサンプルのコンターマップ上の抽出クロマトグラム及び質量スペクトルの抽出位置（保持時間、質量電荷比）が連動して動くので、サンプル間のクロマトグラムや質量スペクトルの違いを一度に確認することができる。
【００８５】
＜第２の実施形態＞
第２の実施形態は、変動情報として、変動係数コンターマップ３７に代えて、２次元の変動情報グラフを用いた例である。以下、第２の実施形態について図１４を参照して説明する。
【００８６】
図１４は、第２の実施形態に係る変動情報グラフの例を示す図である。変動情報グラフ４１の縦軸はスペクトル類似度、横軸は保持時間［ＲＴ］を表す。変動情報作成部２０は、保持時間ごとに、基準となるサンプル（例えばサンプルＡ）の質量スペクトルと他のサンプルの質量スペクトルとの類似度（図８）の平均値を計算し、保持時間ごとのスペクトル類似度として得る。スペクトル類似度が高いほど、サンプル間のスペクトルの強度等のばらつきが少ないと言える。線状の抽出時間位置指定部４２は、抽出時間位置指定部３３１と同様に、任意に保持時間の時間位置を指定できる。
【００８７】
このような変動情報グラフ４１を採用することにより、サンプル間に差異が生じている保持時間の位置を容易に確認することができる。さらに、変動情報グラフ４１は、変動係数コンターマップ３７と比較して、変動情報作成部２０の処理負荷を軽減できる。なお、変動情報グラフ４１のばらつき部４１ａは、類似度がばらつくとともに類似度が低下している。この理由として、複数の化合物のスペクトルが重なったり、サンプルに含まれる化合物がサンプル間で異なったりする可能性が考えられる。
【００８８】
＜第３の実施形態＞
第３の実施形態は、変動情報として、変動係数コンターマップ３７に代えて、１次元の変動情報グラフを用いた例である。以下、第３の実施形態について図１５を参照して説明する。
【００８９】
図１５は、本発明の第３の実施形態に係る変動情報グラフの例を示す図である。変動情報グラフ４５の横方向は保持時間［ＲＴ］を表す。変動情報作成部２０は、図１４と同様に、保持時間ごとに、サンプル間の質量スペクトルの類似度（図８）の平均値を計算し、スペクトル類似度として得る。図１５の例では、類似度が低下した保持時間帯４６，４７，４８を色で表示している。
【００９０】
このような変動情報グラフ４１を採用することにより、サンプル間に差異が生じている保持時間の位置を容易に確認することができる。また、変動情報グラフ４１は、変動係数コンターマップ３７と比較して、変動情報作成部２０に対する処理負荷を軽減できる。
【００９１】
＜第４の実施形態＞
上述した第１の実施形態は、変動情報として変動係数コンターマップ３７を用いたが、変動係数ではなく標準偏差（もしくは分散）でもよい。例えば、比較対象の複数のサンプルが同一化合物であることがわかっているのであれば、ほぼ同じ測定結果（スペクトルの最大強度の差が少ない）が得られると推測されるので、標準偏差もしくは分散を用いることができる。
【００９２】
また、上述した第１の実施形態では、変動係数コンターマップ３７（変動情報）の表示に色を用いたが、階調を用いたり、立体表示したりしてもよい。
【００９３】
また、複数のサンプルの中に極少数の成分の近いサンプルが含まれる場合には、変動情報として、サンプル間のスペクトル強度の差分を利用してもよい。
【００９４】
また、比較対象のサンプルや、複数のサンプルに含まれると推測される異なるサンプルの数に応じて、上記第１〜第４の実施形態に係る変動係数や差異検出方法を使い分けてもよい。
【００９５】
なお、上述した実施形態にかかる質量分析用データ処理装置１ａの動作は、ハードウェアによって行われてもよく、ソフトウェアによって行われてもよい。ソフトウェアによって行われる場合には、例えば質量分析用データ処理装置１ａに設けられるＣＰＵその他の制御装置が、質量分析用データ処理装置１ａの内部に設けられたＲＯＭ等の記録媒体（例えば記憶部１１）に保存されたコンピュータプログラムを読み出して順次実行することによって行われるようにしてもよい。
【００９６】
また、上述した実施形態にかかる質量分析用データ処理装置１ａの各構成要素は、それぞれのハードウェアがネットワークを介して互いに情報を送受信できるならば、いずれのハードウェアに実装されてもよい。また、ある処理部により実施される処理が、１つのハードウェアにより実現されてもよいし、複数のハードウェアによる分散処理により実現されてもよい。
【００９７】
以上、添付図面を参照しながら本発明の好適な実施形態について詳細に説明したが、本発明はかかる例に限定されない。本発明は、特許請求の範囲に記載された要旨を逸脱しない限りにおいて、その他種々の変形例、応用例を取り得ることは勿論である。
【符号の説明】
【００９８】
１…質量分析装置、  １ａ…質量分析用データ処理装置、  １０…入出力制御部、  １１…記憶部、  １３…ＴＩＣＣ作成部、  １５…クロマトグラム作成部、  １７…スペクトル抽出部、  １８…コンターマップ作成部、  ２０…変動情報作成部、  ２１…サーチ部、  ２３…画像データ作成部、  ２５…操作部、  ２７…表示部、  ３０…分析結果表示画面、  ３０Ａ…抽出クロマトグラム表示領域、  ３０Ｂ…コンターマップ表示領域、  ３０Ｃ…差異情報表示領域、  ３１…設定ウィンドウ、  ３２ａ〜３２ｃ…マスクロマトグラム、  ３３ａ〜３３ｃ…サンプルコンターマップ、  ３４ａ〜３４ｃ…質量スペクトル、  ３５ａ〜３５ｃ…ライブラリサーチ結果、  ３７…変動係数コンターマップ（変動情報コンターマップ）、  ３８…変動係数カラーマップ（変動情報カラーマップ）、  ４１…変動情報表示グラフ、  ４２…抽出時間位置指定部、  ４５…変動情報表示バー、  ３３１…抽出時間位置指定部、  ３３１ａ…ウィンドウ幅、  ３３１ｂ…ウィンドウ幅枠、  ３３２…質量電荷比指定部、  ３７１…抽出時間位置指定部、  ３７１ａ…ウィンドウ幅、  ３７２…質量電荷比指定部、  ３７３…拡大表示領域指定枠、  ３８１…カラーバー、  ３８２…最小値設定欄、  ３８３…最大値設定欄、  ３８４…カラー表示範囲指定部
【図１】
2018040655.tif 000003
【図２】
2018040655.tif 000004
【図３】
2018040655.tif 000005
【図４】
2018040655.tif 000006
【図５】
2018040655.tif 000007
【図６】
2018040655.tif 000008
【図７】
2018040655.tif 000009
【図８】
2018040655.tif 000010
【図９】
2018040655.tif 000011
【図１０】
2018040655.tif 000012
【図１１】
2018040655.tif 000013
【図１２】
2018040655.tif 000014
【図１３】
2018040655.tif 000015
【図１４】
2018040655.tif 000016
【図１５】
2018040655.tif 000017